【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
創傷部位における傷跡またはケロイドの形成を改善する包帯であって、該包帯は、皮膚表面に取り外し可能に固定されるように構成され、該包帯は、第１の引張応力をかけられた構成と第２の緩和された構成とを有する、包帯。
【請求項２】
前記第１の引張応力をかけられた構成は機械的に誘発される、請求項１に記載の包帯。
【請求項３】
約３０〜約５０の範囲のデュロメータ値と、約１００マイクロメートル〜約５００マイクロメートルの範囲の厚さとを有するシリコーン層と、
該シリコーン層に取り付けられたポリマーバッキング層と、
該シリコーン層に取り付けられた接着剤層であって、該接着剤層は、少なくとも２４時間の間、シリコーンシートのシリコーン緩和に抵抗するように構成されているシリコーン感圧接着剤を含み、該シリコーン感圧接着剤は、約１２５ｋｇ／ｍより大きいＴ型剥離試験値と、約０．４５ｋｇより大きいブラントプローブタック試験値とを有する、接着剤層と、
該包帯を該第１の引張応力をかけられた構成に取り外し可能に維持するように構成された締め金機構と
をさらに備えている、請求項１または２に記載の包帯。
【請求項４】
前記シリコーン層は、前記第１の引張応力をかけられた構成から前記第２の緩和された構成に変形可能である、請求項３に記載の包帯。
【請求項５】
前記第１の引張応力をかけられた構成は、前記第２の緩和された構成に対して少なくとも約４０％のひずみを有する、請求項１、２、３または４に記載の包帯。
【請求項６】
前記締め金機構は、ポリマーシートをさらに備えている、請求項３〜５のいずれか１項に記載の包帯。
【請求項７】
前記ポリマーシートは、前記シリコーン層内の前記ひずみを変更するように構成されている、請求項４に記載の包帯。
【請求項８】
前記シリコーン感圧接着剤の前記Ｔ型剥離試験値は、少なくとも約２８６ｋｇ／ｍである、請求項３〜７のいずれか１項に記載の包帯。
【請求項９】
前記シリコーン感圧接着剤の前記ブラントプローブタック試験値は、少なくとも約０．５ｋｇである、請求項３〜８のいずれか１項に記載の包帯。
【請求項１０】
前記シリコーン層は先細の縁を含む、請求項３〜９のいずれか１項に記載の包帯。
【請求項１１】
第１の層と第２の層とを備えている、第１の構造物であって、該第１の層は、前記第２の緩和された構成と、前記第１の引張応力をかけられた構成とを有し、該第１の引張応力をかけられた構成は、該第２の緩和された構成に対して少なくとも４０％のひずみを有し、該第２の層は、少なくとも２４時間の間、該第１の引張応力をかけられた構成から該第２の緩和された構成への該第１の層の緩和に抵抗するように構成されている接着剤を含む、第１の構造物と、
該第１の引張応力をかけられた構成において、該第１の構造物を取り外し可能に維持するように構成されている第２の構造物と
をさらに備えている、請求項１または２に記載の包帯。
【請求項１２】
前記第２の構造物は、前記第１の構造物が前記第１の引張応力をかけられた構成にある間に、該第１の構造物を前記皮膚表面に付着させるようにさらに構成されている、請求項１１に記載の包帯。
【請求項１３】
前記第２の構造物は、前記第１の構造物の縁に取り付けられるように構成されている取り付け構造を備えている、請求項１１または１２に記載の包帯。
【請求項１４】
前記第２の構造物は、前記第１の構造物に取り付けられるように構成されているポリマーシートを備えている、請求項１１〜１３のいずれか１項に記載の包帯。
【請求項１５】
前記ポリマーシートは、前記第１の構造物よりも大きい剛性を有する、請求項１４に記載の包帯。
【請求項１６】
前記接着剤は、ポリアクリレートベースまたはポリイソブチレンベースである、請求項１１〜１５のいずれか１項に記載の包帯。
【請求項１７】
前記接着剤は感圧接着剤である、請求項１１〜１６のいずれか１項に記載の包帯。
【請求項１８】
前記感圧接着剤は、シリコーンベースの接着剤である、請求項１７に記載の包帯。
【請求項１９】
前記接着剤は、約１２５ｋｇ／ｍより大きいＴ型剥離試験値を有する、請求項１１〜１８のいずれか１項に記載の包帯。
【請求項２０】
前記接着剤は、少なくとも約２８６ｋｇ／ｍのＴ型剥離試験値を有する、請求項１１〜１８のいずれか１項に記載の包帯。
【請求項２１】
前記接着剤は、約０．４５ｋｇより大きいブラントプローブタック試験値を有する、請求項１１〜２０のいずれか１項に記載の包帯。
【請求項２２】
前記接着剤は、少なくとも約０．５ｋｇのブラントプローブタック試験値を有する、請求項１１〜２１のいずれか１項に記載の包帯。
【請求項２３】
前記接着剤は、少なくとも３日の間、前記第１の引張応力をかけられた構成から前記第２の緩和された構成への緩和に抵抗するように構成されている、請求項１１〜２２のいずれか１項に記載の包帯。
【請求項２４】
前記第１の引張応力をかけられた構成は、２軸方向にひずんだ構成である、請求項１１〜２３のいずれか１項に記載の包帯。
【請求項２５】
前記第１の層は少なくとも約３０のデュロメータ値を有する、請求項１１〜２４のいずれか１項に記載の包帯。
【請求項２６】
前記第１の層は少なくとも約４０のデュロメータ値を有する、請求項１１〜２５のいずれか１項に記載の包帯。
【請求項２７】
前記第１の層は少なくとも約５０のデュロメータ値を有する、請求項１１〜２５のいずれか１項に記載の包帯。
【請求項２８】
前記第１の層は約１００マイクロメートルから約５００マイクロメートルの範囲の厚さを有する、請求項１１〜２７のいずれか１項に記載の包帯。
【請求項２９】
前記第２の構造物は、メッシュまたはワイヤを備えている、請求項１１〜２８のいずれか１項に記載の包帯。
【手続補正２】
【補正対象書類名】明細書
【補正対象項目名】００２３
【補正方法】変更
【補正の内容】
【００２３】
方法は、第２のデバイスを創傷の近くで皮膚に適用することも包含し得る。第２のデバイスは、創傷を内因性の応力および／または外因性の応力から遮蔽するように構成され得るか、または皮膚表面に取り外し可能に固定されるように構成され得、少なくとも１つの方向において創傷に対する応力を低減するように構成され得る。
例えば、本発明は以下の項目を提供する。
（項目１）
創傷部位における傷跡またはケロイドの形成を改善するデバイスであって、該デバイスは、該創傷部位の近くの皮膚表面に取り外し可能に固定され、該創傷を内因性の応力または外因性の応力から遮蔽するように構成される、デバイス。
（項目２）
上記デバイスは、上記創傷を内因性の応力および外因性の応力から遮蔽するように構成される、項目１に記載のデバイス。
（項目３）
上記デバイスは、ポリマーを含む、項目１に記載のデバイス。
（項目４）
上記デバイスは、シリコンポリマーまたは形状記憶ポリマーを含む、項目３に記載のデバイス。
（項目５）
アクリレートベースの形状記憶ポリマー、スチレンベースの形状記憶ポリマー、およびエポキシ樹脂ベースの形状記憶ポリマーから成る群から選択される形状記憶ポリマーを含む、項目４に記載のデバイス。
（項目６）
上記デバイスは、接着材料によって、取り外し可能に皮膚表面に固定されるように構成される、項目１に記載のデバイス。
（項目７）
上記接着材料は、ポリアクリレートベースの感圧接着剤、ポリイソブチレンベースの感圧接着剤、およびシリコンベースの感圧接着剤から成る群から選択される、項目６に記載のデバイス。
（項目８）
上記デバイスは、皮膚貫通デバイスによって、皮膚表面に取り外し可能に固定されるように構成される、項目１に記載のデバイス。
（項目９）
上記皮膚貫通デバイスは、少なくとも１つのマイクロニードルを備えている、項目８に記載のデバイス。
（項目１０）
上記デバイスは、長方形、円形、四角形、台形、トロイド、楕円形、ならびにそれらの部分および組み合わせから成る群から選択される形状を有する、項目１に記載のデバイス。
（項目１１）
上記デバイスは、円形の形状を有する、項目１０に記載のデバイス。
（項目１２）
上記デバイスは、トロイドの形状を有する、項目１０に記載のデバイス。
（項目１３）
上記デバイスは、長方形の形状を有する、項目１０に記載のデバイス。
（項目１４）
上記デバイスの少なくとも一部分は、透明の材料から作られている、項目１に記載のデバイス。
（項目１５）
少なくとも１つのアパーチャを含む、項目１に記載のデバイス。
（項目１６）
上記デバイスの少なくとも一部分は多孔性である、項目１に記載のデバイス。
（項目１７）
上記デバイスは、上記創傷を内因性の応力から能動的に遮蔽するように構成される、項目１に記載のデバイス。
（項目１８）
上記デバイスは、上記創傷を外因性の応力から能動的に遮蔽するように構成される、項目１に記載のデバイス。
（項目１９）
上記デバイスは、上記創傷を内因性の応力から受動的に遮蔽するように構成される、項目１に記載のデバイス。
（項目２０）
上記デバイスは、上記創傷を外因性の応力から受動的に遮蔽するように構成される、項目１に記載のデバイス。
（項目２１）
上記デバイスは、上記創傷を動的な態様で内因性の応力から遮蔽するように構成される、項目１に記載のデバイス。
（項目２２）
上記デバイスは、上記創傷を動的な態様で外因性の応力から遮蔽するように構成される、項目１に記載のデバイス。
（項目２３）
上記デバイスは、上記創傷を静的な態様で内因性の応力から遮蔽するように構成される、項目１に記載のデバイス。
（項目２４）
上記デバイスは、上記創傷を静的な態様で外因性の応力から遮蔽するように構成される、項目１に記載のデバイス。
（項目２５）
活性剤をさらに含む、項目１に記載のデバイス。
（項目２６）
上記活性剤は、薬学的化合物、タンパク質、ビタミンおよびそれらの組み合わせから成る群から選択される、項目２５に記載のデバイス。
（項目２７）
上記皮膚表面の温度を変えるメカニズムをさらに備えている、項目１に記載のデバイス。
（項目２８）
上記メカニズムは電気的である、項目２７に記載のデバイス。
（項目２９）
上記メカニズムは化学的である、項目２７に記載のデバイス。
（項目３０）
上記メカニズムは機械的である、項目２７に記載のデバイス。
（項目３１）
上記デバイスは閉塞性である、項目１に記載のデバイス。
（項目３２）
上記デバイスの少なくとも一部分において、色の変化を誘発するメカニズムをさらに備えている、項目１に記載のデバイス。
（項目３３）
上記色の変化は、デバイスの剛性の変化と対応する、項目３２に記載のデバイス。
（項目３４）
上記色の変化は、デバイスの効力の変化と対応する、項目３２に記載のデバイス。
（項目３５）
創傷部位における傷跡またはケロイドの形成を改善する包帯であって、該包帯は、皮膚表面に取り外し可能に固定されるように構成され、かつ該包帯は、第１の引張応力付与構成および第２の緩和構成を有する、包帯。
（項目３６）
上記包帯はポリマーを含む、項目３５に記載の包帯。
（項目３７）
上記ポリマーは、シリコンポリマーまたは形状記憶ポリマーを含む、項目３６に記載の包帯。
（項目３８）
上記デバイスは、アクリレートベースの形状記憶ポリマー、スチレンベースの形状記憶ポリマー、およびエポキシ樹脂ベースの形状記憶ポリマーから成る群から選択される形状記憶ポリマーを含む、項目３７に記載の包帯。
（項目３９）
上記第１の引張応力付与構成は機械的に誘発される、項目３５に記載の包帯。
（項目４０）
ばね要素が、上記第１の引張応力付与構成を誘発する、項目３９に記載の包帯。
（項目４１）
上記第１の引張応力付与構成は、圧電素子によって少なくとも部分的に誘発される、項目３５に記載の包帯。
（項目４２）
上記第１の引張応力付与構成は、少なくとも部分的に静電気的に誘発される、項目３５に記載の包帯。
（項目４３）
上記包帯は、接着材料によって、皮膚表面に取り外し可能に固定されるように構成される、項目３５に記載の包帯。
（項目４４）
上記接着材料は、ポリアクリレートベースの感圧接着剤、ポリイソブチレンベースの感圧接着剤、およびシリコンベースの感圧接着剤から成る群から選択される、項目４３に記載の包帯。
（項目４５）
上記包帯は、長方形、円形、四角形、台形、トロイド、楕円形、およびそれらの部分および組み合わせから成る群から選択される形状を有する、項目３５に記載の包帯。
（項目４６）
上記包帯は円形の形状を有する、項目４５に記載の包帯。
（項目４７）
上記包帯はトロイドの形状を有する、項目４５に記載の包帯。
（項目４８）
上記包帯は、長方形の形状を有する、項目４５に記載の包帯。
（項目４９）
上記包帯の少なくとも一部分は、透明の材料から作られている、項目３５に記載の包帯。
（項目５０）
活性剤をさらに含む、項目３５に記載の包帯。
（項目５１）
上記活性剤は、薬学的化合物、タンパク質、ビタミンおよびそれらの組み合わせから成る群から選択される、項目５０に記載の包帯。
（項目５２）
上記皮膚表面の温度を変えるメカニズムをさらに備えている、項目３５に記載の包帯。
（項目５３）
上記メカニズムは電気的である、項目５２に記載の包帯。
（項目５４）
上記メカニズムは化学的である、項目５２に記載の包帯。
（項目５５）
上記メカニズムは機械的である、項目５２に記載の包帯。
（項目５６）
上記包帯は閉塞性である、項目３５に記載の包帯。
（項目５７）
上記包帯の少なくとも一部分において、色の変化を誘発するメカニズムをさらに備えている、項目３５に記載の包帯。
（項目５８）
上記色の変化は、包帯の剛性の変化と対応する、項目５７に記載の包帯。
（項目５９）
上記色の変化は、包帯の効力の変化と対応する、項目５７に記載のデバイス。
（項目６０）
上記第１の構成は、その緩和構成に対して約１０％だけ引張応力が付与されている、項目３５に記載の包帯。
（項目６１）
上記第１の構成は、その緩和構成に対して約２０％だけの引張応力が付与されている、項目３５に記載の包帯。
（項目６２）
上記第１の構成は、その緩和構成に対して約３０％だけの引張応力が付与されている、項目３５に記載の包帯。
（項目６３）
上記第１の構成は、その緩和構成に対して約４０％だけの引張応力が付与されている、項目３５に記載の包帯。
（項目６４）
上記第１の構成は、その緩和構成に対して約５０％だけの引張応力が付与されている、項目３５に記載の包帯。
（項目６５）
上記第１の構成は、その緩和構成に対して約７０％だけの引張応力が付与されている、項目３５に記載の包帯。
（項目６６）
上記第１の構成は、その緩和構成に対して約８０％だけの引張応力が付与されている、項目３５に記載の包帯。
（項目６７）
上記第１の構成は、その緩和構成に対して約１００％だけの引張応力が付与されている、項目３５に記載の包帯。
（項目６８）
創傷部位における傷跡またはケロイドの形成を改善する包帯であって、該包帯は、
少なくとも第１の構成、第２の構成および第３の構成を含み、該第２の構成にある間に、取り外し可能に皮膚表面に固定されるように構成され、該第２の構成にある間に作動させられて、該第３の構成を取ることができ、該第２の構成は、該第１の構成に対してひずみが付与される、包帯。
（項目６９）
上記第２の構成は熱的に作動させられて、上記第３の構成をとる、項目６８に記載の包帯。
（項目７０）
上記第３の構成は上記第１の構成と実質的に同じである、項目６９に記載の包帯。
（項目７１）
上記第３の構成は、少なくとも１つの方向において上記第２の構成と異なる、項目６９に記載の包帯。
（項目７２）
上記第３の構成は、少なくとも２つの方向において上記第２の構成と異なる、項目６９に記載の包帯。
（項目７３）
上記第３の構成は、上記包帯に配置された拘束によって、少なくとも部分的に決定される、項目６９に記載の包帯。
（項目７４）
上記拘束は皮膚の追従性によって影響される、項目７３に記載の包帯。
（項目７５）
上記包帯はポリマーを含む、項目６９に記載の包帯。
（項目７６）
上記包帯は、シリコンポリマーまたは形状記憶ポリマーを含む、項目７５に記載の包帯。
（項目７７）
上記包帯は、アクリレートベースの形状記憶ポリマー、スチレンベースの形状記憶ポリマー、およびエポキシ樹脂ベースの形状記憶ポリマーから成る群から選択される形状記憶ポリマーを含む、項目７６に記載の包帯。
（項目７８）
上記第２の構成は、接着材料によって、取り外し可能に皮膚表面に固定されるように構成される、項目６９に記載の包帯。
（項目７９）
上記接着材料は、ポリアクリレートベースの感圧接着剤、ポリイソブチレンベースの感圧接着剤、およびシリコンベースの感圧接着剤から成る群から選択される、項目７８に記載の包帯。
（項目８０）
上記包帯は、長方形、円形、台形、トロイド、楕円形、ならびにそれらの部分および組み合わせから成る群から選択される形状を有する、項目６９に記載の包帯。
（項目８１）
上記包帯の少なくとも一部分は、透明の材料から作られている、項目６９に記載の包帯。
（項目８２）
活性剤をさらに含む、項目６９に記載の包帯。
（項目８３）
上記活性剤は、薬学的化合物、タンパク質、ビタミンおよびそれらの組み合わせから成る群から選択される、項目８２に記載の包帯。
（項目８４）
上記皮膚表面の温度を変えるメカニズムをさらに備えている、項目６９に記載の包帯。
（項目８５）
上記メカニズムは電気的である、項目８４に記載の包帯。
（項目８６）
上記メカニズムは化学的である、項目８４に記載の包帯。
（項目８７）
上記メカニズムは機械的である、項目８４に記載の包帯。
（項目８８）
上記包帯の少なくとも一部分において、色の変化を誘発するメカニズムをさらに備えている、項目６９に記載の包帯。
（項目８９）
上記色の変化は、包帯の剛性の変化と対応する、項目８８に記載の包帯。
（項目９０）
上記色の変化は、包帯の効力の変化と対応する、項目８８に記載の包帯。
（項目９１）
上記第２の構成は、上記第１の構成に対して約５％だけのひずみが付与される、項目６９に記載の包帯。
（項目９２）
上記第２の構成は、上記第１の構成に対して約１０％だけのひずみが付与される、項目６９に記載の包帯。
（項目９３）
上記第２の構成は、上記第１の構成に対して約２０％だけのひずみが付与される、項目６９に記載の包帯。
（項目９４）
上記第２の構成は、上記第１の構成に対して約３０％だけのひずみが付与される、項目６９に記載の包帯。
（項目９５）
上記第２の構成は、上記第１の構成に対して約４０％だけのひずみが付与される、項目６９に記載の包帯。
（項目９６）
上記第２の構成は、上記第１の構成に対して約５０％だけのひずみが付与される、項目６９に記載の包帯。
（項目９７）
上記第２の構成は、上記第１の構成に対して約７０％だけのひずみが付与される、項目６９に記載の包帯。
（項目９８）
上記第２の構成は、上記第１の構成に対して約１００％だけのひずみが付与される、項目６９に記載の包帯。
（項目９９）
上記第３の構成は、少なくとも１つの方向において約１０％未満だけ上記第１の構成とは異なる、項目７１に記載の包帯。
（項目１００）
上記第３の構成は、少なくとも２つの方向において約１０％未満だけ上記第１の構成とは異なる、項目７２に記載の包帯。
（項目１０１）
傷跡またはケロイドの形成を改善するキットであって、該キットは、パッケージ化された組み合わせの中に、
少なくとも２つのデバイスであって、各デバイスは、創傷部位の近くで皮膚表面に取り外し可能に固定され、該創傷を内因性の応力または外因性の応力から遮蔽するように構成される、デバイスを含む、キット。
（項目１０２）
上記デバイスの各々は、上記創傷を内因性の応力および外因性の応力から遮蔽するように構成される、項目１０１に記載のキット。
（項目１０３）
上記少なくとも２つのデバイスは、異なる色である、項目１０１に記載のキット。
（項目１０４）
上記少なくとも２つのデバイスは、異なる形状である、項目１０１に記載のキット。
（項目１０５）
上記形状は、長方形、円形、四角形、台形、トロイド、楕円形、ならびにそれらの部分および組み合わせから成る群から独立して選択される、項目１０１に記載のキット。
（項目１０６）
上記少なくとも２つのデバイスは、異なる大きさである、項目１０１に記載のキット。
（項目１０７）
上記少なくとも２つのデバイスは、異なる厚さである、項目１０１に記載のキット。
（項目１０８）
上記少なくとも２つのデバイスは、上記創傷を様々な量で内因性の応力から遮蔽するように構成される、項目１０１に記載のキット。
（項目１０９）
上記少なくとも２つのデバイスは、上記創傷を様々な量で外因性の応力から遮蔽するように構成される、項目１０１に記載のキット。
（項目１１０）
上記キットの使用法についての注意書をさらに含む、項目１０１に記載のキット。
（項目１１１）
ヒートガンをさらに備えている、項目１０１に記載のキット。
（項目１１２）
少なくとも１つの創傷ドレッシングをさらに備えている、項目１０１に記載のキット。
（項目１１３）
少なくとも１つの創傷クレンザをさらに備えている、項目１０１に記載のキット。
（項目１１４）
傷跡またはケロイドの形成を改善する方法であって、該方法は、
内因性の応力または外因性の応力から創傷を遮蔽するように構成されたデバイスを、該創傷の近くで皮膚に適用することを包含する、方法。
（項目１１５）
上記デバイスは、上記創傷を内因性の応力または外因性の応力から遮蔽するように構成される、項目１１４に記載の方法。
（項目１１６）
上記デバイスの適用は、創傷の治癒の増殖段階の間に行なわれる、項目１１４に記載の方法。
（項目１１７）
上記デバイスの適用は、少なくとも約１０日間続く、項目１１４に記載の方法。
（項目１１８）
上記デバイスの適用は、少なくとも約２０日間続く、項目１１４に記載の方法。
（項目１１９）
上記デバイスの適用は、少なくとも約３０日間続く、項目１１４に記載の方法。
（項目１２０）
上記デバイスの適用は、少なくとも約４０日間続く、項目１１４に記載の方法。
（項目１２１）
上記デバイスの適用は、少なくとも約５０日間続く、項目１１４に記載の方法。
（項目１２２）
上記デバイスの適用は、少なくとも約６０日間続く、項目１１４に記載の方法。
（項目１２３）
上記デバイスの適用は、少なくとも約７０日間続く、項目１１４に記載の方法。
（項目１２４）
上記デバイスの適用は、少なくとも約８０日間続く、項目１１４に記載の方法。
（項目１２５）
上記デバイスの適用は、少なくとも約９０日間続く、項目１１４に記載の方法。
（項目１２６）
上記デバイスの適用は、少なくとも約１００日間続く、項目１１４に記載の方法。
（項目１２７）
ある時間の後、上記デバイスを取り外すことをさらに包含する、項目１１４に記載の方法。
（項目１２８）
上記時間は予め決められる、項目１２７に記載の方法。
（項目１２９）
第２のデバイスを上記創傷の近くで皮膚に適用することであって、該第２のデバイスは、該創傷を内因性の応力または外因性の応力から遮蔽するように構成される、ことをさらに包含する、項目１１４に記載の方法。
（項目１３０）
上記第２のデバイスは、上記創傷を内因性の応力および外因性の応力から遮蔽するように構成される、項目１２９に記載の方法。
（項目１３１）
第２のデバイスを上記創傷の近くで皮膚に適用することであって、該第２のデバイスは、皮膚表面に取り外し可能に固定され、少なくとも１つの方向において創傷の応力を低減するように構成される、ことをさらに包含する、項目１１４に記載の方法。